(57)【要約】【課題】位置依存情報の待ち受け範囲を設定して、設定された範囲に情報提供者が情報を登録するとき、その登録を待ち受け範囲を設定した情報閲覧者に通知する位置依存情報待ち受けシステムを提供する。【解決手段】レシーバーとしてのクライアント機１０１、インフォーマーとしてのクライアント機１０２、無線基地局１０３、無線通信回線１０４、サーバ１０５という構成である。【選択図】        図１
2004336361.tif 000002
【特許請求の範囲】
【請求項１】
通信機能を備えた複数の移動クライアントとネットワークに接続したサーバから構成されるシステムを利用して、第１の移動クライアントが自身の位置に対応付けした情報（以下、位置依存情報という）をサーバに登録し、第２の移動クライアントが該サーバから位置依存情報を取得する位置依存情報管理方式において、
１）第２の移動クライアント（以下、レシーバーという。ここでレシーバーは複数でもよい。）で地理的範囲を設定するステップ、
２）第１の移動クライアント（以下、インフォーマーという）が前記サーバに位置依存情報を登録したとき、該位置依存情報に対応付けられた位置を含むように前記地理的範囲を設定したレシーバーを検索するステップ、
３）前記検索の結果に基づいて前記位置依存情報が前記地理的範囲に登録されたことを前記レシーバーに通知するステップ、以上のステップを含みことを特徴とする位置依存情報待ち受けシステム。
【請求項２】
前記地理的範囲は、地名、行政区名、学区、郵便番号、ランドマーク、経度緯度情報、地図上の位置、前記レシーバー自身の位置から選ばれる少なくとも１つによって指定される所定の範囲であることを特徴とする特許請求範囲第１項に記載の位置依存情報待ち受けシステム。
【請求項３】
前記通知は、前記位置依存情報自体のプッシュ配信、電子メールの発信、携帯内蔵機能によるバイブレーション、携帯内蔵機能による着信音から選ばれる少なくとも１つであることを特徴とする特許請求範囲第１項に記載の位置依存情報待ち受けシステム。
【請求項４】
前記電子メールには、前記位置依存情報の識別子が記載されていることを特徴とする特許請求範囲第３項に記載の位置依存情報待ち受けシステム。
【請求項５】
前記識別子は、前記位置依存情報が格納もしくは記載されている場所のＵＲＬであることを特徴とする特許請求範囲第４項に記載の位置依存情報待ち受けシステム。
【請求項６】
前記移動クライアントは、ブラウザフォン、ノートパソコン、ＰＤＡ（Ｐｅｒｓｏｎａｌ  Ｄｉｇｉｔａｌ  Ａｓｓｉｓｔａｎｃｅ）、ウエアラブルコンピュータから選ばれた少なくとも１つであることを特徴とする特許請求範囲第１項に記載の位置依存情報待ち受けシステム。
【請求項７】
前記移動クライアントは、ＧＰＳ又はＰＨＳの位置管理機構、又は無線ＬＡＮのローミング機構を利用して自身の現在位置を検出することを特徴とする特許請求範囲第１項乃至弟項に記載の位置依存情報待ち受けシステム。
【発明の詳細な説明】
【０００１】
【発明が属する技術分野】
本発明は、移動クライアントによる情報の待ち受けのシステムに関し、特に移動クライアントのユーザが希望する地理的範囲に位置依存情報が登録されたときに、そのユーザに迅速に通知する方法を実現する位置依存情報待ち受けシステムに関する。
【０００２】
【従来の技術】
近年ＧＰＳシステムを利用可能なブラウザフォンが数多く一般に発売され、測位によって得られた自身の位置に基づいて、その位置に関連する情報を配信するサービスに対する需要が増えてきている。
【０００３】
また、一部には測位によって得られた自身の位置に対応づけて情報を公開サーバに登録し、一般に向けて発信するサービスも出ている。発信された情報の価値というものは、新しければ新しいほど高いものである。新着の情報を希望するユーザに通知することによる受信者のメリットは大きい。
【０００４】
【発明が解決しようとする課題】
今後、ＧＰＳシステムを利用可能なブラウザフォンなど測位機能を備えた移動クライアントが普及することが予想され、不特定多数のユーザが自身の移動クライアントを使って位置依存情報を登録したり、削除したりするというような状況が予測される。
【０００５】
そのとき従来の検索方法では、位置依存情報が登録されたタイミングですぐにアクセスすることは困難であり、もしそういうアクセスを望むなら頻繁にサーバにアクセスして新着の位置依存情報があるかどうかチェックする必要があるという問題が生じる。
【０００６】
そこで位置依存情報が登録されたとき、その位置を判別してその位置を含む地理的範囲の情報を必要としているユーザ（レシーバー）に通知することが出来れば問題が解決する。
【０００７】
本発明の目的は上記従来例の問題点を改善し、位置依存情報を希望するユーザが自身の希望する地理的範囲に情報が登録されたとき、迅速に通知することの出来るシステムを提供することである。
【０００８】
【課題を解決するための手段】
本願請求項１に係わる発明においては、通信機能を備えた複数の移動クライアントとネットワークに接続したサーバから構成されるシステムを利用して、第１の移動クライアントが自身の位置に対応付けした情報（以下、位置依存情報という）をサーバに登録し、第２の移動クライアントが該サーバから位置依存情報を取得する位置依存情報管理方式において、
１）第２の移動クライアント（以下、レシーバーという。ここでレシーバーは複数でもよい。）で地理的範囲を設定するステップ、
２）第１の移動クライアント（以下、インフォーマーという）が前記サーバに位置依存情報を登録したとき、該位置依存情報に対応付けられた位置を含むように前記地理的範囲を設定したレシーバーを検索するステップ、
３）前記検索の結果に基づいて前記位置依存情報が前記地理的範囲に登録されたことを前記レシーバーに通知するステップ、
以上のステップでレシーバーに位置依存情報の登録を通知する位置依存情報待ち受けシステムを採用した。
【０００９】
本願請求項２に係わる発明の位置依存情報待ち受けシステムは、前記地理的範囲が地名、行政区名、学区、郵便番号、ランドマーク、経度緯度情報、地図上の位置、前記レシーバー自身の位置から選ばれる少なくとも１つによって指定される所定の範囲であることを特徴とする。
【００１０】
本願請求項３に係わる発明の位置依存情報待ち受けシステムは、前記通知が前記位置依存情報自体のプッシュ配信、電子メールの発信、携帯内蔵機能によるバイブレーション、携帯内蔵機能による着信音から選ばれる少なくとも１つであることを特徴とする。
【００１１】
本願請求項４に係わる発明の位置依存情報待ち受けシステムは、本願請求項３に係わる発明において、前記電子メールには前記位置依存情報の識別子が記載されていることを特徴とする。
【００１２】
本願請求項５に係わる発明の位置依存情報待ち受けシステムは、第４項に係わる発明において、前記識別子は、前記位置依存情報が格納もしくは記載されている場所のＵＲＬであることを特徴とする。
【００１３】
本願請求項６に係わる発明の位置依存情報待ち受けシステムは、前記移動クライアントがブラウザフォン、ノートパソコン、ＰＤＡ（Ｐｅｒｓｏｎａｌ  Ｄｉｇｉｔａｌ  Ａｓｓｉｓｔａｎｃｅ）、ウエアラブルコンピュータから選ばれた少なくとも１つであることを特徴とする。
【００１４】
本願請求項７に係わる発明の位置依存情報待ち受けシステムは、前記移動クライアントがＧＰＳ又はＰＨＳの位置管理機構、又は無線ＬＡＮのローミング機構を利用して自身の現在位置を検出することを特徴とする。
【００１５】
【発明の実施の形態】
【全体構成】
図１は、本発明による位置依存情報の検索方法を実現するシステム構成の一例を示したブロック図である。レシーバーとしてのクライアント機１０１、インフォーマーとしてのクライアント機１０２、無線基地局１０３、無線通信回線１０４、サーバ１０５という構成である。
【００１６】
ここでは説明のためクライアント機を２台としているが、２台に限られるものではなく、サーバが不可に耐えられる範囲において何台あってもかまわない。また、クライアント機をレシーバー１０１とインフォーマー１０２と分けているが、この役割は固定的であるとは限らない。同一のクライアント機があるときはレシーバー、またあるときはインフォーマーとして動作してもよい。
【００１７】
図２はクライアント機１０１／１０２の構成であり、測位手段２０１、入出力手段２０２、生成・解析手段２０３、通信手段２０４からなる。
【００１８】
ここで測位手段２０１としてＧＰＳ装置を採用し、ＧＰＳ衛星からの電波を受信し、解析し自身の位置を検出する。ここではＧＰＳ装置を採用したが、ＰＨＳ（パーソナル・ハンディホーン・システム）等の位置管理機構（位置管理センター）や、無線ＬＡＮ（ローカル・エリア・ネットワーク）のローミング機能を利用してクライアント機の現在位置を検出する装置を採用してもよい。
【００１９】
入出力手段２０２は、液晶ディスプレー、スピーカー、振動装置そして入力デバイスとしてのキーとボタンからなり、ブラウザを介して情報の入出力を行う。
【００２０】
生成・解析手段２０３は、クライアント機に組み込まれたソフトプログラムとして実装され、位置依存情報の生成機能、待ち受け範囲設定要求文の生成機能、サーバからの要求文解析機能を実現する。
【００２１】
通信手段２０４は、所定の無線通信回線１０４及び無線基地局１０３を通じてクライアント機から上記要求文や位置依存情報を送信したり、サーバ１０５からの要求文を受信し、これを生成・解析手段２０３に与える。
【００２２】
クライアント機は、レシーバーとして動作するときは、取得したい位置依存情報の地理的範囲を設定したり、設定された地理的範囲に位置依存情報が登録されたことを伝える通知を受けて、上記地理的範囲に対応する位置依存情報の取得を要求する。
【００２３】
また、インフォーマーとして動作するときのクライアント機は、測位手段２０１で検出した自身の現在位置に登録するデータを対応付けしてサーバ１０５に送信する。ここでクライアント機として、上記機能を実現するプログラムを組み込んだブラウザフォンを採用するが、本発明のクライアント機はこれに限られるものではなく、ノートパソコン、ＰＤＡ（Ｐｅｒｓｏｎａｌ  Ｄｉｇｉｔａｌ  Ａｓｓｉｓｔａｎｃｅ）、ウエアラブルコンピュータであってもよい。
【００２４】
図３はサーバ１０５の構成図である。通信手段３０１、要求文解析手段３０２、データ検索手段３０３、登録手段３０４、設定手段３０５、位置依存情報データベース３０６、レシーバー検索手段３０７、待ち受け範囲データベース３０８、通知手段３０９という構成要素からなる。
【００２５】
通信手段３０１はクライアント機からの要求文や位置依存情報を受信し、要求分解析手段へ引き渡したり、検索された位置依存情報を該当するクライアント機（レシーバー）に無線基地局１０３及び無線通信回線１０４を通じて送信する。
【００２６】
要求文解析手段３０２は、通信手段３０１から上記要求文等が与えられると、これを幾つかの位置について各々の位置に対応する位置依存情報を検索するための検索文やデータを位置依存情報ＤＢ３０６に登録するための登録文、あるいは待ち受け範囲となる地理的範囲を設定するための設定文に分解し、これらの検索文を検索手段３０３や、登録手段３０４あるいは設定手段３０５に与える。
【００２７】
データ検索手段３０３は、要求分解析手段３０２から上記検索文が与えられると、この検索文に対応するデータを位置依存情報データベース３０６から読出し、要求分解析手段３０２に与える。
【００２８】
登録手段３０４は、要求分解析手段３０２から上記登録文が与えられると、この登録文に従って位置依存情報を位置依存情報データベース３０６に登録する。このとき登録するデータに対応する位置と登録を要求したインフォーマーの識別子とともに該当する位置を含む地理的範囲に待ち受け設定をしているレシーバーを探す要求文がレシーバー検索手段３０７に送出される。
【００２９】
設定手段３０５は、要求文解析手段３０２から上記設定文が与えられると、この設定文に記述された地理的範囲を待ち受け範囲データベース３０８に書き込む。
【００３０】
図４は、位置依存上情報データベース３０６に格納される位置依存情報の管理テーブルである。位置依存情報をユニークに識別するデータＩＤ４０１、位置依存情報に対応する位置情報４０２、位置依存情報を登録するユーザをユニークに識別するクライアントＩＤ４０３、登録されたデータが格納されるデータベース上の格納場所４０４という構成である。
【００３１】
レシーバー検索手段３０７は、登録要求文を受け渡された登録手段３０４から登録される位置依存情報に対応する位置をキーとして待ち受け範囲データベース３０８を参照し、その登録に対応する位置を含む待ち受け範囲の設定をしたレシーバーを検索する。
【００３２】
図５は、待ち受け範囲データベースに登録された地理的範囲データの管理テーブルである。
待ち受け範囲をユニークに識別する範囲ＩＤ５０１、地理的範囲５０２、待ち受け範囲を設定するユーザをユニークに識別するクライアントＩＤ５０３という構成である。
【００３３】
通知手段３０９は、レシーバー検索手段３０７で検索されたレシーバーのクライアントＩＤを受けて、後で説明するメール送信などの所定の通知を行う。
【００３４】
さて、以上の構成によって達成される位置依存情報の待ち受けの動作を待ち受け範囲となる地理的範囲の設定、位置依存情報が登録されたときに登録の位置を含む待ち受け範囲設定をしたクライアント（レシーバー）に通知する動作をフローチャートに従って説明していく。
【００３５】
まず待ち受け範囲の設定から説明する。図６は、待ち受け範囲を地名によって設定する場合の動作を説明するフローチャートである。地名入力ステップ６０１においてレシーバーは待ち受けの設定をしたい地域の地名を入力する。図７はその入力画面の一例である。ここではレシーバー「栗原」さんが、地名「渋原」を入力する画面を示した。範囲解析ステップ６０２において、指定された地名を地名・エリア変換テーブルを参照してエリアに変換する。図８は地名「渋原」の対応する地理的範囲８０１と地域を区分したメッシュ８０２を示した概念図である。ここで８０１は「渋原」に対応する範囲は、メッシュｄ４、ｄ５、ｄ６、ｅ４、ｅ５、ｅ６、ｆ４、ｆ５、ｆ６に変換される。待ち受け設定ステップ６０４において、待ち受け範囲データベース３０８に栗原さんのクライアントＩＤとともに地理的範囲としてメッシュ（ｄ４、ｄ５、ｄ６、ｅ４、ｅ５、ｅ６、ｆ４、ｆ５、ｆ６）が設定される。図９は待ち受け範囲データベース３０８に格納された待ち受け範囲データを示した概念図である。
【００３６】
本発明の待ち受け範囲の設定方法は、地名入力に限られるものではない。行政区名、学区、郵便番号、ランドマークを入力して図６のフローチャートと同様にメッシュに変換する方法でもよい。
【００３７】
図１０は、待ち受け範囲を測位によって得られた緯度経度の入力によって設定する場合の動作を説明するフローチャートである。測位ステップ１００１においてレシーバーは自身のクライアント機の測位機能により現在位置を取得する。範囲生成ステップ１００２において、取得された現在位置と範囲生成ルール５０３とを参照して地理的範囲を生成する。範囲生成ルールとして現在位置を（Ｘ，Ｙ）を中心とする所定半径Ｒの円の内部領域とする条件式
【数１】
2004336361.tif 000003
を満たす（ｘ，ｙ）などが適用できる。本発明に適用する条件式はこれに限られるものではなく、楕円、矩形、多角形などを表す様々な条件式が適用可能である。このようにして生成された範囲は、待ち受け設定ステップ１００４において、待ち受け範囲データベース３０８に格納される。
【００３８】
次に位置依存情報が登録されたときに登録の位置を含む待ち受け範囲設定をしたクライアント（レシーバー）に通知する動作を説明する。図１１は、通知に至る動作を示すフローチャートである。位置依存情報の登録ステップ１１０１において、インフォーマーが位置依存情報の登録を行うと、登録位置に対応する待ち受け範囲の検索ステップ１１０２において、登録の位置情報と待ち受け範囲データベースを参照して登録位置を含んでいる待ち受け範囲を検索する。図１２は情報を登録するインフォーマーの現在位置と待ち受け範囲を示した概念図である。１２０１は、設定された待ち受け範囲１２０２を示している。１２０３は同じ土地について、今情報を登録しようとしているインフォーマー１２０４の所在を示している。ここで待ち受け範囲１２０２にインフォーマーの現在位置１２０４が含まれていなければ、ステップ１１０３においてヒットなしが判別され終了となる。一方、待ち受け範囲１２０２にインフォーマーの現在位置１２０４が含まれて含まれていると、検索にヒットしたことが判別され、設定したレシーバー取得ステップ１１０４において、待ち受け範囲１２０２を設定したレシーバーが待ち受け範囲データベース３０８を参照して取得される。
【００３９】
待ち受けの設定が図９に示すようなメッシュＩＤで設定されている場合は、登録の位置情報をその位置を含むメッシュＩＤに変換し、このメッシュＩＤを含む待ち受け範囲を検索すればよい。
【００４０】
通知ステップ１１０５において、ヒットした待ち受け範囲の設定をしたレシーバーに対して、登録した位置依存情報のリンクとしてのＵＲＬを記載したメールを予め設定しているメールアドレスに送信する。図１３はリンクが表示されたメールの内容を表示したものである。１３０１はレシーバーの登録名を、１３０２は位置依存情報へリンクするＵＲＬである。ここで通知の方法として、レシーバーが設定しておいたメールアドレスに送信する方法を採用したが、本発明の通知はこれに限られるものではない。例えば、レシーバーのクライアント機が無線ＬＡＮにより常時接続環境にあるＰＤＡ等であれば、登録された位置依存情報自体を直接プッシュ配信してもよい。あるいは、クライアント機が端末内部を操作できるアプリケーションが作れるＢＲＥＷ（Ｂｉｎａｒｙ  Ｒｕｎｔｉｍｅ  Ｅｎｖｉｒｏｎｍｅｎｔ  ｆｏｒ  Ｗｉｒｅｌｅｓｓ）に対応した携帯電話であれば、携帯内蔵機能によるバイブレーション、携帯内蔵機能による着信音による通知を行ってもよい。
【００４１】
【発明の効果】
本発明による位置依存情報の待ち受けシステムを利用することにより、随時登録されるデータに対応して登録された位置を待ち受け範囲に設定したユーザー（レシーバー）に対してほぼリアルタイムにその対象となる情報の登録を通知することが出来、レシーバーは自分の必要とする地理的範囲において常に最新の情報にアクセスすることが可能になる効果がある。
【図面の簡単な説明】
【図１】位置依存情報の待ち受けシステムの全体構成
【図２】クライアント機の構成
【図３】サーバの構成図
【図４】位置依存情報の管理テーブル
【図５】地理的範囲データの管理テーブル
【図６】待ち受け範囲を地名によって設定する場合の動作を説明するフローチャート
【図７】入力画面の一例
【図８】地名「渋原」の対応する地理的範囲と地域を区分したメッシュを示した概念図
【図９】待ち受け範囲データを示した概念図
【図１０】待ち受け範囲を測位によって得られた緯度経度の入力によって設定する場合の動作を説明するフローチャート
【図１１】通知に至る動作を示すフローチャート
【図１２】インフォーマーの現在位置と待ち受け範囲を示した概念図
【図１３】情報通知画面の一例
【符号の説明】
１０１    クライアント機（インフォーマー）
１０２    クライアント機（レシーバー）
１０３    無線基地局
１０４    ネットワーク
１０５    サーバ
【図１】
2004336361.tif 000004
【図２】
2004336361.tif 000005
【図３】
2004336361.tif 000006
【図４】
2004336361.tif 000007
【図５】
2004336361.tif 000008
【図６】
2004336361.tif 000009
【図７】
2004336361.tif 000010
【図８】
2004336361.tif 000011
【図９】
2004336361.tif 000012
【図１０】
2004336361.tif 000013
【図１１】
2004336361.tif 000014
【図１２】
2004336361.tif 000015
【図１３】
2004336361.tif 000016